(57)【要約】      （修正有）【課題】  商品購入者等に、使用可能なクーポンを知らせることができるＰＯＳ端末装置を提供する。【解決手段】  記憶部１３は、クーポン情報を商品コードに関連付けて記憶している。演算処理部１４は、タッチパネル１１又は入力操作部１２から入力された商品コードに基づいて記憶部１３を検索し、入力された商品コードに関連付けされているクーポン情報を抽出する。抽出されたクーポン情報は、タッチパネルの画面に表示される。【選択図】図１
2006293798.tif 000002
【特許請求の範囲】
【請求項１】
クーポン情報を商品コードに関連付けて記憶する記憶部と、
商品コードを入力する入力部と、
該入力部より入力された商品コードに基づいて前記記憶部を検索する検索部と、
該検索部により検索されたクーポン情報を表示する表示部と、
を備えることを特徴とするＰＯＳ端末装置。
【請求項２】
請求項１に記載されたＰＯＳ端末装置において、
前記クーポン情報はクーポン番号を含み、
前記入力部はクーポン番号の入力にも使用され、
当該入力部より入力された前記商品コード及び前記クーポン番号に基づいて売り上げ計算を行う演算部をさらに備えていることを特徴とするＰＯＳ端末装置。
【請求項３】
請求項２に記載されたＰＯＳ端末装置において、
前記検索部が検索実行前に入力された前記クーポン番号を含むクーポン情報を検索結果から除外することを特徴とするＰＯＳ端末装置。
【請求項４】
請求項２又は請求項３に記載されたＰＯＳ端末装置において、
前記表示部がタッチパネルであって、前記入力部の少なくとも一部を兼ねることを特徴とするＰＯＳ端末装置。
【請求項５】
請求項１乃至４に記載されたＰＯＳ端末装置を含むことを特徴とするＰＯＳシステム。
【請求項６】
請求項５に記載されたＰＯＳシステムにおいて、
前記記憶部が、前記ＰＯＳ端末装置に通信回線で接続された上位装置に設けらていることを特徴とするＰＯＳシステム。
【請求項７】
商品コードの入力を受けるステップと、
入力された商品コードに基づいて記憶部を検索し、前記入力された商品コードに関連付けされたクーポン情報を抽出するステップと、
抽出されたクーポン情報を表示させるステップと、
をコンピュータに実行させることを特徴とするプログラム。
【請求項８】
請求項７に記載されたプログラムにおいて、
クーポン番号の入力を受けるステップと、
前記入力された商品コードと入力されたクーポン番号とに基づいて売り上げ計算を行うステップと、
をさらにコンピュータに実行させることを特徴とするプログラム。
【請求項９】
請求項８に記載されたプログラムにおいて、
前記クーポン情報を抽出するステップを実行する前にクーポン番号が入力されたとき、当該クーポン番号を含むクーポン情報を前記抽出されたクーポン情報から除外するステップをさらにコンピュータに実行させることを特徴とするプログラム。
【発明の詳細な説明】
【技術分野】
【０００１】
本発明は、ＰＯＳシステムに関し、特に、クーポンに基づく割引や値引を含む売り上げ処理を行うＰＯＳシステムの端末装置に関する。
【背景技術】
【０００２】
従来、この種のＰＯＳシステムは、商品購入者やサービス利用者が提示又は提出したクーポンに基づいて、その購入商品や利用サービスの代金又は料金の割引あるいは値引を自動的に計算するように構成されている（例えば、特許文献１又は２参照。）。
【０００３】
【特許文献１】特開平５−１６６０６９号公報
【特許文献２】特表２００４−５１４９９０号公報
【発明の開示】
【発明が解決しようとする課題】
【０００４】
従来のＰＯＳシステムでは、商品購入者やサービス利用者が、提示又は提出したクーポンを特定するための情報（以下、クーポン番号という。）を入力することにより、そのクーポンが有効の場合に、購入した商品や利用したサービスの代金又は料金について割引あるいは値引を受けることができる。
【０００５】
このような従来のＰＯＳシステムでは、商品購入者やサービス利用者がクーポンを提示・提出しない場合、それに基づく割引や値引が受けられないことは当然である。しかしながら、商品購入者あるいはサービス利用者が、利用可能なクーポンを所有しているにも拘らず、購入商品や利用サービスがその適用の対象ではないと誤解している場合や、クーポンを所有していること自体を忘れている場合に、そのクーポンに基づく割引や値引が受けられないのは、望ましいことではない。
【０００６】
このような事態を避けるため、商品販売者やサービス提供者が、商品購入者やサービス利用者に対してクーポンの所持を尋ねることもあるが、商品購入者やサービス利用者が上記のように誤解、忘却している場合にはあまり効果がない。また、多くの商品販売者やサービス提供者が多種多様なクーポンを発行している現在の状況下では、商品購入者あるいはサービス利用者に利用可能なクーポンの存在を適切に通知し、その利用を促進したいという、商品販売者・サービス提供者側の要求もある。
【０００７】
しかしながら、従来のＰＯＳシステムは、クーポンの提示・提出をしない商品購入者あるいはサービス利用者に対して、クーポンの提示・提出を促す手段を何ら有していないという問題点がある。
【０００８】
そこで、本発明は、商品購入者あるいはサービス提供者に対して、使用可能なクーポンを知らせることができるＰＯＳ端末装置、ＰＯＳシステム及びそのプログラムを提供することを目的とする。
【課題を解決するための手段】
【０００９】
上記目的を達成するため、本発明のＰＯＳ端末装置は、クーポン情報を商品コードに関連付けて記憶する記憶部と、商品コードを入力する入力部と、該入力部より入力された商品コードに基づいて前記記憶部を検索する検索部と、該検索部により検索されたクーポン情報を表示する表示部と、を備えることを特徴としている。
【００１０】
また、本発明のＰＯＳシステムは、上記ＰＯＳ端末を含むことを特徴としている。
【００１１】
さらに、本発明のプログラムは、商品コードの入力を受けるステップと、入力された商品コードに基づいて記憶部を検索し、前記入力された商品コードに関連付けされたクーポン情報を抽出するステップと、抽出されたクーポン情報を表示させるステップとをコンピュータに実行させることを特徴としている。
【発明の効果】
【００１２】
本発明によれば、入力された商品コードに基づいてクーポン情報を検索し、表示部に表示するようにしたことで、使用可能なクーポンの存在を商品購入者やサービス利用者に適切に知らせることができる。
【発明を実施するための最良の形態】
【００１３】
以下、図面を参照して本発明の実施の形態について詳細に説明する。
【００１４】
図１に本発明の一実施の形態に係るＰＯＳシステムを示す。このＰＯＳシステムは、少なくとも１台のＰＯＳ端末装置１０と、ＰＯＳ端末装置１０に通信回線２０を介して接続された上位装置（ホストコンピュータ）３０とを含む。
【００１５】
ＰＯＳ端末装置１０は、表示部と第１の入力部とを兼ねるタッチパネル１１と、テンキーやバーコードスキャナなどの第２の入力部である入力操作部１２と、ＰＯＳ端末装置１０の動作に必要なプログラム、商品情報及びクーポン情報を記憶する記憶部１３と、記憶部１３に記憶されたプログラムに従い、タッチパネル１１や入力操作部１２からの入力情報に基づいて検索や売り上げ計算などの所定の演算処理を行う演算処理部１４と、上位装置３０との間でデータの送受信を行う通信部１５とを有している。
【００１６】
次にＰＯＳ端末装置１０の動作について説明する。ここでは、商品販売の例について説明するが、サービス提供の場合も同様である。
【００１７】
まず、タッチパネル１１や入力操作部１２から商品コードが入力されると、演算処理部１４は、その商品コードに基づいて記憶部１３を検索する。そして、演算処理部１４は、入力された商品コードに対応する商品情報を抽出するとそこに含まれる商品名及び単価を得て、タッチパネル１１に表示させる。商品コードに続けて数量が入力された場合、演算処理部１４は、単価×数量を計算してその数量と計算結果とをタッチパネル１１に表示させる。
【００１８】
この後、商品コード（及び数量）が入力される度に、演算処理部１４は、上記動作を繰り返す。なお、商品コードの入力は、タッチパネルに表示された表品面にタッチすることによっても実現できる。
【００１９】
次に、タッチパネル１１又は入力操作部１２からクーポン検索指示が入力されると、演算処理部１４は、後述するように記憶部１３を検索し、入力された商品コードに関連付けされているクーポン情報を抽出する。そして、演算処理部１４は、抽出したクーポン情報をタッチパネル１１に表示させる。ここでの表示に、クーポン券の写真画像等を含ませれば、商品購入者等の記憶喚起に役立つ。
【００２０】
この後、タッチパネル１１又は入力操作部１２を用いて、表示されたクーポン情報の少なくとも一つが選択されると、演算処理部１４は、選択されたクーポン情報に含まれる値引額や割引率などを会計処理に組み入れる。
【００２１】
次に、タッチパネル１１又は入力操作部１２から会計実行指示が入力されると、演算処理部１４は、割引や値引を計算し、売り上げ金額を計算する。そして、演算処理部１４は、受け取り金額の入力に応じて、おつりの計算を行う。最後に、演算処理部１４は、通信部１５及び通信回線２０を通じて、必要な情報を上位装置３０へ送信する。
【００２２】
以上のようにして、本実施の形態に係るＰＯＳ端末装置（ＰＯＳシステム）では、商品購入者の購入品目に応じて使用可能なクーポンの情報をタッチパネルに表示させることができる。これにより、商品購入者は、購入しようとする品目に応じて使用可能なクーポンを知ることができる。
【００２３】
なお、商品購入者が、クーポンを予め提示した場合には、クーポン検索指示入力前にクーポン番号を入力することもできる。この場合、演算処理部は、入力されたクーポン番号に基づいて記憶部１３を検索して対応するクーポン情報を抽出し、クーポンの有効／無効を判断して、有効であれば、クーポン情報に含まれる値引額や割引率などを会計処理に組み入れるようにすればよい。この場合、その後のクーポン検索指示により抽出されたクーポン情報から、入力済のクーポン情報を除去してタッチパネルに表示させるようにする。
【００２４】
また、本実施の形態では、クーポン情報が記憶部１３に格納されているが、上位装置２０の記憶部（図示せず）に格納されていてもよい。
【００２５】
次に、演算処理部１４のクーポン情報検索動作について詳細に説明する。
【００２６】
記憶部１３には、クーポン情報の集まりであるクーポンマスタが格納されている。クーポンマスタは、図２に示すように、連続番号（ここでは、＃００１〜＃９９９）が付与された多数のレコードよりなる。
【００２７】
各レコードは、例えば、図３に示すように構成される。レコードには、“クーポン番号”と“有効商品と数量テーブル”とが含まれており、これによってクーポンと商品（商品コード）とが互いに関連付けされる。図４に、クーポンマスタのレコードの一例を示す。図４の例では、クーポン番号“１２３４５６７８”のクーポンの使用により、２００５年４月１日から１５日まで、１０時から１４時の間であれば、ハンバーガーセットが５０円引になることを示している。
【００２８】
クーポンマスタの“有効商品と数量テーブル”は、例えば、図５に示すように構成される。即ち、１以上の“商品コード”と、クーポンの適用を受けるために必要な商品の数を示す“数量”とからなる。図６は、図４の例に対応するもので、ハンバーガー、コーヒー及びフライドポテトをそれぞれ１つずつ購入した場合に、クーポン“ハンバーガーセット”による割引が受けられることを表している。
【００２９】
ここで、図７に示すような商品購入（商品コード入力）があったとする。図７はタッチパネル１１の画面を示しており、その左側には、伝票番号、購入品目とその金額、小計及び合計が表示され、右側には販売品目ボタン（商品コード入力ボタン）、クーポン検索ボタン及び会計ボタンが表示されている。
【００３０】
図７の状態から、クーポン検索ボタンが押されると、演算処理部１４は、図８のフローチャートに従ってクーポン情報の検索を行う。
【００３１】
まず、演算処理部１４は、クーポンカウンタをクリアし（ステップＳ８０１）、続いてクーポンカウンタの値をインクリメントする。クーポンカウンタの値がクーポン登録数以下であれば（ステップＳ８０３で“いいえ”）ステップＳ８０４へ進み、クーポンカウンタの値がクーポン登録数を超えると（ステップＳ８０３で“はい”）処理を終了する。なお、クーポン登録数とは、図２のクーポンマスタに登録されているクーポンの数を指す。
【００３２】
ステップＳ８０３で、クーポンカウンタの値がクーポン登録数以下と判断された場合、演算処理部１４は、クーポンカウンタの値に一致する連続番号（＃？？？）のクーポン情報を取り出す（ステップＳ８０４）。
【００３３】
次に、演算処理部１４は、検索商品カウンタをクリアし（ステップＳ８０５）、検索商品カウンタの値をインクリメントする（ステップＳ８０６）。そして、演算処理部１４は、検索商品カウンタの値と有効商品要素数とを比較する（ステップＳ８０７）。なお、有効商品要素数は、ステップＳ８０４で取り出したクーポン情報に含まれる有効商品の数である。図６の例では、有効商品要素数は“３”である。また、検索商品カウンタの値は、有効商品要素に対応付けされる。例えば、図６の例では、検索商品カウンタの値が“１”のとき“ハンバーガー”に、“２”のとき“コーヒー”に、“３”のとき“フライドポテト”にそれぞれ対応付けられる。
【００３４】
ステップＳ８０７において検索商品カウンタの値が有効商品用素数より大きいと判定された場合は、ステップＳ８０２へ戻る。一方、検索商品カウンタの値が有効商品用素数以下の場合、演算処理部１４は、商品数カウンタをクリアし（ステップＳ８０８）、続いて、商品数カウンタの値をインクリメントする（ステップＳ８０９）。
【００３５】
次に、演算処理部１４は、商品数カウンタの値と売り上げ商品数とを比較する（ステップＳ８１０）。商品数カウンタの値が売り上げ商品数以下の場合、ステップＳ８１１へ進み、商品数カウンタの値が売り上げ商品数を超えた場合は、ステップＳ８０６に戻る。なお、売り上げ商品数は、売り上げ商品の種類の数であって、図７の例では“６”である。また、商品数カウンタの値は、売り上げ商品の種類に対応付けされる。例えば、図７の例では、商品数カウンタの値が“１”のとき“ハンバーガー”に、“２”のとき“フライドポテト”に、“３”のとき“チーズバーガー”に、“４”のとき“ホットドッグ”に、“５”のとき“コーヒー”に、“６”のとき“オレンジジュース”に、それぞれ対応付けられる。
【００３６】
ステップＳ８１０で、商品数カウンタの値が売り上げ商品数以下と判定されると、演算処理部１４は、売り上げ商品情報を記憶部１３より取り出す（ステップＳ８１１）。売り上げ商品情報は、タッチパネル１１又は入力操作部１２より商品コードが入力される毎に生成され、記憶部１３に格納される。売り上げ商品情報は、例えば、図９に示すように構成される。図７に示す例の場合、全ての売り上げ商品についての売り上げ商品情報は、図１０に示すようになる。演算処理部１４は、商品数カウンタの値に対応する商品に関する売り上げ商品情報を取り出す。
【００３７】
次に、演算処理部１４は、ステップＳ８１１で取り出した売り上げ商品情報に含まれる商品コードと、ステップＳ８０４で取り出したクーポン情報に含まれた検索商品カウンタの値に対応する商品の商品コードとを比較する。比較の結果、これらの商品コードが一致しなければステップＳ８０９に戻り、一致した場合はステップＳ８１３へ進む。
【００３８】
ステップＳ８１３において、演算処理部１４は、ステップＳ８１１で取り出した売り上げ商品情報に含まれる数量と、ステップＳ８０４で取り出したクーポン情報に含まれた検索商品カウンタの値に対応する商品の数量とを比較する。比較の結果、これらの商品コードが一致しなければステップＳ８０９に戻り、一致した場合はステップＳ８１４へ進む。
【００３９】
演算処理部１４は、ステップＳ８１４において、ステップＳ８０４で取り出したクーポン情報に含まれる全ての使用条件が満たされているか否かを判断する。全ての条件が満たされていると判断すると、演算処理部１４は、ステップＳ８０４で取り出したクーポン情報のクーポン番号を検索結果バッファに格納する（ステップＳ８１５）。検索結果バッファは、図１１に示すように構成され、例えば、図１２に示すようにクーポン番号が格納される。この検索結果バッファは、記憶部１３に設けることができる。
【００４０】
この後、演算処理部１４は、ステップＳ８０２に戻り、上述した動作を繰り返す。
【００４１】
以上のようにして、本実施の形態では、クーポンマスタから１つずつクーポン情報を取り出し、そこに含まれる有効商品が、売り上げ商品に含まれているか否か、さらにクーポン使用に必要な数量が購入されているか否か判定する。これにより、現在の購入商品に基づいて使用可能なクーポンに対応するクーポン情報を検索する。
【００４２】
この後、ステップＳ８０３で検索終了と判断すると、演算処理部１４は、検索結果バッファに格納されたクーポン番号に基づいて、クーポン情報検索し、名称や値引き額など必要な情報を抽出し、タッチパネル１１の画面上に表示させる。その表示例を図１３に示す。
【００４３】
タッチパネル１１に表示されたクーポン情報の中から、商品購入者により提示・提出されたクーポンに対応するクーポン情報が、画面へのタッチにより選択されたならば、演算処理部１４は、選択されたクーポン情報に含まれる値引きや割引に関する情報をタッチパネル１１上に表示するとともに、それに基づいて会計処理（売上計算）を再度行う。その結果、タッチパネル１１の画面は、図１４に示すようになる。
【図面の簡単な説明】
【００４４】
【図１】本発明の一実施の形態に係るＰＯＳシステムの構成を示すブロック図である。
【図２】クーポンマスタの構成を説明するための図である。
【図３】図２のクーポンマスタに含まれる一レコードの構成を説明するための図である。
【図４】図３のレコードの一例を示す図である。
【図５】図４のレコードに含まれる有効商品と数量テーブルの構成を説明するための図である。
【図６】図５の有効商品と数量テーブルの一例を示す図である。
【図７】図１のＰＯＳシステムに含まれるタッチパネルの画面の表示例を示す図である。
【図８】図１のＰＯＳシステムに含まれる演算処理部の動作のうちのクーポン検索処理を説明するためのフローチャートである。
【図９】売り上げ商品情報の構成を説明するための図である。
【図１０】図９の売り上げ商品情報の一例を示す図である。
【図１１】検索結果バッファの構成を説明するための図である。
【図１２】図１１の検索結果バッファの一例を示す図である。
【図１３】図１のＰＯＳシステムに含まれるタッチパネルの画面にクーポン検索結果が表示された表示例を示す図である。
【図１４】図１のＰＯＳシステムに含まれるタッチパネルの画面にクーポン情報に基づく割引あるいは値引きを行った後の会計処理結果を表示させた表示例を示す図である。
【符号の説明】
【００４５】
１０    ＰＯＳ端末
１１    タッチパネル
１２    入力操作部
１３    記憶部
１４    演算処理部
１５    通信部
２０    上位装置
【図１】
2006293798.tif 000003
【図２】
2006293798.tif 000004
【図３】
2006293798.tif 000005
【図４】
2006293798.tif 000006
【図５】
2006293798.tif 000007
【図６】
2006293798.tif 000008
【図７】
2006293798.tif 000009
【図８】
2006293798.tif 000010
【図９】
2006293798.tif 000011
【図１０】
2006293798.tif 000012
【図１１】
2006293798.tif 000013
【図１２】
2006293798.tif 000014
【図１３】
2006293798.tif 000015
【図１４】
2006293798.tif 000016